(57)【特許請求の範囲】
【請求項１】
開閉自在の避難用扉スクリーンを備えた防火用スクリーンにおいて、
該防火用スクリーンの下端には開口全幅に延出する本体部座板を設けると共に、該扉スクリーンの下端には扉部座板が設けてあり、
該扉部座板の先端側は自由端であると共に、該本体部座板に対して係着手段を介して着脱自在であり、
該扉部座板の基端側は該本体部座板に対して屈曲部材を介して連結されているとともに開放側に偏倚自在であり、該扉部座板の基端側の偏倚寸法を調整することで、該扉部座板の先端側の係着力を調整可能に構成したことを特徴とする防火用スクリーン。
【請求項２】
請求項１において、該本体部座板は該扉部座板の基端側と並行して延出する延出部を備えており、該扉部座板の基端側と該延出部とは調整用螺子の進退操作によって互いに接離自在であり、該調整用螺子によって該扉部座板の基端側を偏倚させることを特徴とする防火用スクリーン。
【請求項３】
請求項１，２において、前記係着手段は、該扉部座板の先端側に設けた係着プレートと、該座板に設けた被係着プレートおよび該被係着プレートに設けた磁石とからなり、該係着プレートの下端には水平方向に延出する係着片が形成され、該被係着プレートの下端側には被係着部が形成され、該扉部座板の基端側の位置を調整することで、該被係着部に対する該係着片の係着の深さを調整して前記係着力を調整可能に構成したことを特徴とする防火用スクリーン。
【請求項４】
請求項３において、該被係着プレートと該磁石との間にはスペーサが介装自在であり、該スペーサによって該被係着プレートと該磁石との距離を可変とすることで、該被係着部に対する該係着片の係着の深さを調整して前記係着力を調整可能にしたことを特徴とする防火用スクリーン。
【発明の詳細な説明】
【０００１】
【発明の属する技術分野】
本発明は、避難用開口部を備えた防火用スクリーンの構造に係り、詳しくは、避難用の扉スクリーンの開放力の調整機構に関するものである。
【０００２】
【従来の技術】
現在、シートシャッターを防火シャッターとして採用することが行なわれている。防火用シートシャッターにおいては避難用開口部を設ける必要があることから、防火用スクリーンに開閉自在の扉スクリーンを形成して避難用開口部を構成している。
【０００３】
火災時には、扉スクリーンを手で押して開放することで避難用開口部を形成するものであるため、扉スクリーンは手動で容易に開放できるもの（例えば、手動開放力５０Ｎ以下）であることが必要である。一方、防火スクリーンの役割は火災時における延焼を食い止めるものであるので、扉スクリーンは、火災時の排煙により扉スクリーンに作用する圧力によって開放しないことが必要である。
【０００４】
さらに、火災時の排煙により扉スクリーンに作用するであろう圧力は、防火スクリーンが設置される場所や、扉スクリーンを設ける場所等によって異なるものである。したがって、現場において扉スクリーンの開放力を調整する必要がある。
【０００５】
【発明が解決しようとする課題】
本発明は、防火用スクリーンに設けられる避難用扉スクリーンの開放力を簡単に調整することを目的とするものである。
【０００６】
【課題を解決するための手段】
かかる課題を達成するために本発明が採用した技術手段は、開閉自在の避難用扉スクリーンを備えた防火用スクリーンにおいて、該防火用スクリーンの下端には開口全幅に延出する本体部座板を設けると共に、該扉スクリーンの下端には扉部座板が設けてあり、該扉部座板の先端側は自由端であると共に、該本体部座板に対して係着手段を介して着脱自在であり、該扉部座板の基端側は該本体部座板に対して屈曲部材を介して連結されているとともに開放側に偏倚自在であり、該扉部座板の基端側の偏倚寸法を調整することで、該扉部座板の先端側の係着力を調整可能に構成したものである。
【０００７】
好ましくは、前記係着手段は、該扉部座板の先端側に設けた係着プレートと、該座板に設けた被係着プレートおよび該被係着プレートに設けた磁石とからなり、該係着プレートの下端には水平方向に延出する係着片が形成され、
該被係着プレートの下端側には被係着部が形成され、該扉部座板の基端側の位置を調整することで、該係着片と該被係着部との係着の程度（深さ）を調整可能としたものである。
【０００８】
扉部座板の基端側を偏倚させる構成は、好ましくは、該本体部座板に該扉部座板の基端側と並行して延出する延出部を形成し、該扉部座板の基端側と該延出部とは調整用螺子の進退操作によって互いに接離可能であり、該調整用螺子によって該扉部座板の基端側を偏倚させるものである。他の手段としては、該扉部座板の基端側にスペーサを着脱自在に設けて、扉部座板の基端側を偏倚させてもよい。
【０００９】
扉部座板と本体部座板とを連結する屈曲部材は、一つの好ましい例では板ばねであるが、屈曲部材は板ばねに限定されるものではなく、ゴム等の弾性部材、蝶番等でもよい。
【００１０】
係着片と被係着部との係着の深さは、扉部座板の先端側の調整で行なうことも可能である。該被係着プレートと該磁石との間にはスペーサが介装自在であり、該スペーサによって該被係着プレートと該磁石との距離を可変とすることで、該係着片と該被係着部との係着の程度（深さ）を調整可能としてもよい。
【００１１】
【発明の実施の形態】
本発明の実施の形態を図面に基づいて説明する。図１（ａ），（ｂ）は防火用シートシャッターの正面図、平面図、図２は防火スクリーンの正面図および側面図である。建物内部の防火区画部位の上方には左右方向に延出する巻取シャフト１が軸架されており、該部位の左右の壁面には耐火シートからなるスクリーン２の幅方向端部を案内するガイドレール３が対向状に立設されている。スクリーン２の幅方向端部には高さ方向に所定間隔を存して複数の抜け止め部材２ａが設けてあり、抜け止め部材２ａをガイドレール３内に位置させることで、スクリーン２がガイドレール３から抜け出すことを防止している。
【００１２】
スクリーン２は、第一シート体４と第二シート体５とから構成されている。第一シート体４は、建物開口部の寸法に対応する方形状のシートの正面視右側部位を下端から上方に向かって長方形状に切り欠くことで形成されており、次に述べるような形状を有している。
【００１３】
第一シート体４は、開口全高を備えた一側（図示では左側）の縦辺４ａと、開口全幅を備えた上辺４ｂと、上辺４ｂの他端側（図示では右側）より下方に向かって所定寸法延出してなる他側（右側）の縦辺４ｃと、縦辺４ｃの下端より幅方向に所定寸法延出してなる切り欠き部横辺４ｄと、切り欠き部横辺４ｄの延出端部より下方に向かって延出してなる切り欠き部縦辺４ｅと、一側（左側）の縦辺４ａの下端と切り欠き部縦辺４ｅの下端を連結するように幅方向に延出してなる下辺４ｆとを備えている。
【００１４】
第二シート体５は、該長方形状の切り欠き部より若干大きい面積を有する長方形状のシートからなり、上辺５ａ、下辺５ｂ、一側（図示では左側）の縦辺５ｃ、他側（図示では右側）の縦辺５ｄとを備えている。
【００１５】
第二シート体５は、第一シート体４に対して、該長方形の切り欠き部を覆うように縫着されている。第二シート体５の上辺５ａは第一シート体４の切り欠き部横辺４ｄに重合逢着されており、第二シート体５の一側の縦辺５ｃの上端部分は第一シート体４の切り欠き部縦辺４ｅに重合逢着されている。第一シート体４の一方の幅方向端部を形成する切り欠き部縦辺４ｅと、第二シート体の一方の幅方向端部を形成する縦辺５ｃとが重合されることで重合部位Ｏが形成されている。第一シート体４、第二シート体５は共に、幅方向に延出する複数の単位シートをそれぞれ上下端縁同士を重合させて縫着して上下方向に連設することで形成されている。
【００１６】
スクリーン２の下端（すなわち、第一シート体４と第二シート体５の下端）には、開口幅全体に延出する本体部座板６が設けてある。座板６は、立ち上がり部７とフラット部８とから略逆Ｔ形状の断面を有しており、立ち上がり部７を介してシート下端に連結され、開口部全閉時にはフラット部８の下面が床面に当接するようになっている。
【００１７】
第一シート体４、第二シート体５の下端は共に立ち上がり部７を介して座板６に装着されているが、第一シート体４の下辺４ｆが装着された座板の立ち上がり部７は、重合部位Ｏより幅方向に所定寸法だけフラット部８から分離されており、扉部座板９を構成している。すなわち、実施の形態のものでは、座板６は開口幅全体に延出するフラット部８と扉部座板９に対応する部位を切り欠いてなる立ち上がり部７とから形成されており、第一シート体４の下端において重合部位Ｏより所定長にわたって設けられた扉部座板９の下端は座板６とは独立している。
【００１８】
第一シート体４の下端部の一部は、座板６から独立した別体の扉部座板９が装着されることで自由端となっており、避難時には第一シート体４の重合部側を押しながら重合部位Ｏを戸先側として第一シート体４を開放させて脱出するように構成されている。すなわち第一シート体４の一部が扉スクリーンＤを形成するようになっている。
【００１９】
図３（ａ），（ｂ）はそれぞれスクリーン下端部の平面図および正面図である。扉部座板９は基端側に設けた板ばね１０を介して、第一シート下端の座板の立ち上がり部７に連結されている。一方、扉部座板９の先端側（重合部位Ｏ側）の端部は第二シート体５の下端の座板の立ち上がり部７に対して着脱自在に磁着されている。
【００２０】
扉部座板９の基端側の構成について図４に基づいて詳細に説明する。図４（ａ）は図３（ａ）と同じくスクリーン下端部の平面図であり、図４（ａ）におけるＡ部を拡大したものを、図４（ｂ），（ｃ）に示している。板ばね１０の一端側は螺子１０ａによって座板の立ち上がり部７に連結されており、他端側は螺子１０ｂによって扉部座板９に連結されている。扉部座板９は板ばね１０を介して座板６の立ち上がり部７に対して屈曲自在に装着されている。
【００２１】
座板の立ち上がり部７の一部を構成するプレート７ａは板ばね１０に対向して扉部座板９に重合するように延出しており、プレート７ａと扉部座板９の重合部には、プレート７ａと扉部座板９とを接離自在とする調整用螺子１１が設けてある。調整用螺子１１を締めたり、緩めたりすることで、プレート７ａと扉部座板９との距離を接近あるいは離隔させるようになっている。扉部座板９の基端側の座板芯は、本体部座板６の座板芯よりも扉スクリーンＤの開放側に偏倚自在であり、かつ偏倚位置は調整用螺子１１により調整自在である。図４（ｂ）は座板の立ち上がり部７の芯と扉部座板９の基端部の芯が一番近い場合、図４（ｃ）は座板の立ち上がり部７の芯と扉部座板９の芯が一番遠い場合を示している。また、図４（ｂ）は図３（ｃ）、図５（ａ）に、図４（ｃ）は図３（ｄ），図５（ｂ）にそれぞれ対応している。
【００２２】
扉部座板９の戸先側（重合部位Ｏ側）の端部は第二シート体５の下端の座板の立ち上がり部７に対して着脱自在に構成されている。図６に示すように、第二シート体５側の立ち上がり部７の面部には被係着プレート１２を介して磁石１３が設けてある。第一シート体下端の扉部座板９の戸先側端部には、立ち上がり部１４ａと立ち上がり部１４ａの下端より水平状に延出する係着片１４ｂとから断面視略Ｌ形状を形成する係着プレート１４が設けてあり、係着プレート１４の立ち上がり部１４ａに磁着プレート１５が装着されている。
【００２３】
扉部座板９の戸先側端部（先端側）は、扉部座板戸先側に設けたスチール製の磁着プレート１５を介して第二シート体側の磁石１３に係着する。係着プレート１４は第一シート４の戸先側端部より内側に位置して設けてあり、第一シート４の戸先側端部より突出しないように構成されている。
【００２４】
図６に示すように、被係着プレート１２の下端部は斜め上方に向かって折曲されており、斜め上方に延出する案内片１２ｂを形成している。被係着プレート１２の立ち上がり状の本体１２ａの下端部と案内片１２ｂの基端部との会合部（被係着部）に、係着プレート１４の水平延出係着片１４ｂが係止することで、防火スクリーン（扉スクリーン）は排煙の圧力に耐えるようになっている。防火スクリーンは圧力を受けると膨らみ、さらに圧力がかかると防火スクリーンの下端側は上方に持ち上げられるようになる。水平延出係着片１４ｂの先端が前記会合部に係止することで、防火スクリーンの下端を持ち上げるように作用する力に対抗することができる。水平延出係着片１４ｂの先端と前記会合部（被係着部）の係止の程度を僅かに（例えば、数ミリ程度）変化させることで、扉スクリーンの開放力を調整することができる。
【００２５】
水平延出係着片１４ｂの先端と前記会合部（被係着部）の係止の程度は、扉スクリーンの戸尻側（扉部座板の基端側）において、調整用螺子１１の調節によって行なうことができる。図６に示す状態は、図３（ｃ）、図４（ｂ）、図５（ａ）に対応しており、水平延出係着片１４ｂの先端と前記会合部の係止は浅い状態を示している。この状態から、調整用螺子１１によって、プレート７ａに対して扉部座板９の基端側（戸尻側）を離隔させると、扉部座板９の基端側は扉スクリーンＤの開放側へ偏倚し、扉部座板９が本体部座板６に対して平面視傾斜状に延出することになり、扉部座板９の先端側（戸先側）に設けた係着プレート１４は前記会合部に対して深く係止するようになる（図３（ｄ），図５（ｂ））。
【００２６】
扉スクリーンの開放力の調整は戸先側（扉部座板の先端部）で対処することもできる。被係着プレート１２の立ち上がり部１２ａと磁石１３との間には２枚の調整プレート（スペーサ）１６ａ，１６ｂが螺子１７を介して着脱自在に介装されている。調整プレート１６ａ，１６ｂの装着部位を変更することで、シート体４，５の上下方向に延出する面の位置を変えることなく、係着プレート１４の水平状延出係着片１４ｂの延出端部と、被係着プレート１２の立ち上がり部１２ａと案内片１２ｂとの会合部との取り合い位置を変更できる。調整プレート１６ａ，１６ｂを取り外して装着部位を変更するには、磁石１３に螺合する螺子１７を取り外すことで行なう。
【００２７】
図６のものでは、２枚の調整プレート１６ａ，１６ｂが共に立ち上がり状の本体１２ａに対して磁石側に位置しており、水平状延出係着片１４ｂの延出端部は浅く前記会合部に係着されている。これに対して、２枚の調整プレート１６ａ，１６ｂが立ち上がり部１２ａを挟み込むようにして装着すると、水平状延出係着片１４ｂの延出端部は深く前記開口部に係着される。後者のほうが、前者（図６に示すもの）に比べて、火災時の排煙により扉スクリーンに作用するであろう圧力に対する強度が大きくなる。このように、調整プレート１６ａ，１６ｂの装着位置を変えることで扉スクリーンの開閉力を調整できるようになっている。
【００２８】
図７は、被係着プレート１２と水平延出係着片１４ｂとの取り合いの他の実施の形態を示す図である。図７のものでは、被係着プレート１２の下端部の延出片は、被係着プレート本体１２の下端から斜め下方に延出する傾斜片１２ｄと傾斜片１２ｄの先端から斜め上方に延出する傾斜片１２ｃとから形成されている。水平延出係着片１４ｂが、傾斜片１２ｃ、１２ｄの会合部（被係着部）に係止するようになっている。座板の立ち上がり部７と被係着プレート１２と磁石１３は螺子１７ａによって連結されている。被係着プレート１２と磁石１３との間にはナット１７ｂが介装されており、磁石１３側を回転させて、ナット１７ｂを締めたり、緩めたりすることで、被係着プレート１２と磁石１３との距離が可変となっている。図７（ａ）に示すものでは、被係着プレート１２と磁石１３とは離隔しており（水平延出係着片１４ｂと前記会合部との係止は浅い）、この状態から螺子１７ａを締めることによって、図７（ｂ）に示すように、被係着プレート１２と磁石１３とが近接し、水平延出片１４ｂと前記会合部との係止が深くなる。図７（ｂ）のほうが、図７（ａ）に比べて、火災時の排煙により扉スクリーンに作用するであろう圧力に対抗する強度が大きくなる。このように、螺子１７ａによって、被係着プレート１２と磁石１３との距離を変えることで扉スクリーンの開閉力を調整できるようになっている。
【００２９】
図８は、被係着プレート１２と水平延出係着片１４ｂとの取り合いの他の実施の形態を示す図である。図８のものでは、被係着プレート１２の下端部の延出片は、被係着プレート本体１２の下端から水平状に延出する水平片１２ｆと水平片１２ｆの先端から斜め上方に延出する傾斜片１２ｅとから形成されている。水平延出係着片１４ｂが、水平片１２ｆ、傾斜片１２ｅの会合部（被係着部）に係止するようになっている。座板の立ち上がり部７と被係着プレート１２と磁石１３は螺子１７ａによって連結されている。被係着プレート１２と磁石１３との間にはナット１７ｂが介装されており、磁石１３側を回転させてナット１７ｂを締めたり、緩めたりすることで、被係着プレート１２と磁石１３との距離が可変となっている。図８（ａ）に示すものでは、被係着プレート１２と磁石１３とは離隔しており（水平延出係着片１４ｂと前記会合部との係止は浅い）、この状態から螺子１７ａを締めることによって、図８（ｂ）に示すように、被係着プレート１２と磁石１３とが近接し、水平延出係着片１４ｂと前記会合部との係止が深くなる。図８（ｂ）のほうが、図８（ａ）に比べて、火災時の排煙により扉スクリーンに作用するであろう圧力に対抗する強度が大きくなる。このように、螺子１７ａによって、被係着プレート１２と磁石１３との距離を変えることで扉スクリーンの開閉力を調整できるようになっている。
【００３０】
図９（ａ）は座板６の平面図であり、座板の長さ方向両端には平面視略Ｔ形状の座板の抜け止め部材６０が設けてある。図９（ｂ）は抜け止め部材６０を示す図である。抜け止め部材６０は、座板６の長さ方向に延出する本体部６０ａと、本体部６０ａの先端に本体部６０ａに直交するように形成された係止部６０ｂとからなり、係止部６０ｂをガイドレール内に位置させることで、火災時の排煙によってスクリーンに圧力が加わった時に、係止部６０ｂを介して座板６の抜けを規制する。
【図面の簡単な説明】
【図１】（ａ）は防火用シートシャッターの正面図、（ｂ）は防火用シートシャッターの平面図である。
【図２】防火用スクリーンの正面図および側面図である。
【図３】（ａ）防火用スクリーン下端の座板を示す平面図である。
（ｂ）防火用スクリーン下端の座板を示す正面図である。
（ｃ）防火用スクリーン下端の座板の概略平面図であって、本体部座板と扉部座板の基端部の座板芯が近接している場合を示している。
（ｄ）防火用スクリーン下端の座板の概略平面図であって、本体部座板と扉部座板の基端部の座板芯が離間している場合を示している。
【図４】（ａ）防火用スクリーン下端の座板を示す平面図である。
（ｂ）図４（ａ）のＡ部を示す部分拡大図であり、本体部座板と扉部座板の基端部の座板芯が近接している場合を示している。
（ｃ）図４（ａ）のＡ部を示す部分拡大図であり、本体部座板と扉部座板の基端部の座板芯が離間している場合を示している。
【図５】（ａ）扉部座板の先端側を示す部分拡大平面図であって、本体部座板と扉部座板の基端部の座板芯が近接している場合を示している。
（ｂ）扉部座板の先端側を示す部分拡大平面図であって、本体部座板と扉部座板の基端部の座板芯が離間している場合を示している。
【図６】扉部座板と座板の立ち上がり部との係着関係を示す縦断面図であり、被係着プレートと磁石との間に調整プレートを二枚設けたものを示している。
【図７】他の実施の形態に係る扉部座板と座板の立ち上がり部との係着関係を示す縦断面図であり、（ａ）は磁石と被係着プレートとの距離が離隔した状態、（ｂ）は磁石と被係着プレートとの距離が近接した状態を示している。
【図８】さらに他の実施の形態に係る扉部座板と座板の立ち上がり部との係着関係を示す縦断面図であり、（ａ）は磁石と被係着プレートとの距離が離隔した状態、（ｂ）は磁石と被係着プレートとの距離が近接した状態を示している。
【図９】（ａ）は両端に平面視略Ｔ形状の座板の抜け止め部材を設けた座板の平面図であり、（ｂ）は抜け止め部材の拡大図である。
【符号の説明】
２  スクリーン
４  第一シート体
５  第二シート体
Ｄ    扉スクリーン
Ｏ    重合部位
６  本体部座板
７  立ち上がり部
８  フラット部
９  扉部座板
１０  板ばね
１１  調整用螺子
１２  被係着プレート
１３  磁石
１４  係着プレート
【図１】
0003799493.tif 000002
【図２】
0003799493.tif 000003
【図３】
0003799493.tif 000004
【図４】
0003799493.tif 000005
【図５】
0003799493.tif 000006
【図６】
0003799493.tif 000007
【図７】
0003799493.tif 000008
【図８】
0003799493.tif 000009
【図９】
0003799493.tif 000010